(57)【要約】  画像を表示する表示部（１０）と、表示部（１０）の長手方向の辺に設けられた第１人感センサー（１１）と、表示部（１０）の短手方向の辺に設けられた第２人感センサー（１２）と、表示部（１０）の表示画面が縦向きか横向きかを検出する表示画面検出部（１３）と、表示画面検出部（１３）によって検出された向きに応じて、第１人感センサー（１１）と第２人感センサー（１２）とのうちいずれか一方の検出結果を得て、得られた検出結果に基づいて、表示部（１０）への画像の表示を制御する制御部（１５）と、を有する。
2014006757.tif 000002
【特許請求の範囲】
【請求項１】
画像を表示する表示部と、
前記表示部の長手方向の辺に設けられた第１人感センサーと、
前記表示部の短手方向の辺に設けられた第２人感センサーと、
前記表示部の表示画面が縦向きか横向きかを検出する表示画面検出部と、
前記表示画面検出部によって検出された向きに応じて、前記第１人感センサーと前記第２人感センサーとのうちいずれか一方の検出結果を得て、得られた検出結果に基づいて、前記表示部への画像の表示を制御する制御部と、
を有することを特徴とする表示装置。
【請求項２】
前記表示画面検出部が検出した表示部の向きに応じて、前記第１人感センサーと前記第２人感センサーとのうちいずれか一方の検出結果を選択して出力するセンサー出力切り替えスイッチを有し、
前記制御部は、前記センサー出力切り替えスイッチによって選択され出力される検出結果を得て、得られた検出結果に基づいて、前記表示部への画像の表示を制御する
ことを特徴とする請求項１記載の表示装置。
【請求項３】
前記表示画面検出部の検出結果に応じて、前記第１人感センサーまたは前記第２人感センサーのいずれかに電源から供給される電力を供給する電源切り替え部
を有することを特徴とする請求項１または請求項２記載の表示装置。
【請求項４】
画像を表示する表示部の表示画面が縦向きか横向きかを検出し、
前記検出された向きに応じて、前記表示部の長手方向の辺に設けられた第１人感センサーと前記表示部の短手方向の辺に設けられた第２人感センサーとのうちいずれか一方の検出結果を得て、得られた検出結果に基づいて、前記表示部への画像の表示を制御する
ことを特徴とする表示装置の制御方法。
【発明の詳細な説明】
【技術分野】
【０００１】
本発明は、人感センサーを有する表示装置、表示装置の制御方法に関する。
【背景技術】
【０００２】
回転ヒンジ付きスタンドを備えた表示装置は、使用者の用途に応じて表示画面を横向き、あるいは縦向きのどちらの状態でも使用することができる。横向きとは、表示画面の長辺側が水平方向であり、短辺側が垂直方向である向きである。縦向きとは、表示画面の短辺側が水平方向であり、長辺側が垂直方向である向きである。【０００３】
また、表示装置には、人感センサーを備えるものもある（例えば、特許文献１）。
人感センサーを備えた表示装置では、表示装置の前に使用者がいることを検出し、検出結果に応じて表示装置を制御する。人感センサーは、表示装置の表示画面とは異なる場所に設置されている。通常は表示装置の表示画面中心を基準として検知するため、人感センサーは表示画面中心を通る垂線上付近の表示画面周縁に配置される。図６では、表示画面１０１が横向きであり、表示画面中心を通る垂線上付近であって、表示画面の水平方向（長辺側）の辺のうち、下方の辺の周縁部に人感センサー１０２が設けられる。【０００４】
しかし、横向きを基準として人感センサーを設置する場合、人感センサーはセンサーの検出範囲１０４を考慮して、表示画面の前面にいる使用者を正しく検知するために、長辺側の下側の中心の位置に設置される。これにより、使用者１０３が表示装置の前にいる場合、人感センサーの検出範囲１０４が使用者１０３を容易に検知できる。
一方で使用者が当該表示装置を縦向きの状態で使用した場合、縦向きになることで表示装置の短辺と長辺の位置が変わる。そのため、図７に示すように、人感センサー１０２は、表示画面１０１の長辺上に位置することになり、表示画面中心を通る垂線上から外れる。これにより、人感センサー１０２の検出範囲の中心が表示画面の中心上から外れる。そのため、人感センサー１０２の検出範囲１０４は、表示装置の前面にいる使用者１０３を正しく検出する精度が低下してしまい、使用者が表示装置正面にいても、使用者が不在であると誤判断されてしまう。
【先行技術文献】
【特許文献】
【０００５】
【特許文献１】特開２０１１−１４７１３５号
【発明の概要】
【発明が解決しようとする課題】
【０００６】
解決しようとする問題点は、表示装置の画面の向きを変えると、人感センサーが使用者を正しく検出できない場合が生じる点である。
【課題を解決するための手段】
【０００７】
上述した問題点を解決するために、本発明は、画像を表示する表示部と、前記表示部の長手方向の辺に設けられた第１人感センサーと、前記表示部の短手方向の辺に設けられた第２人感センサーと、前記表示部の表示画面が縦向きか横向きかを検出する表示画面検出部と、前記表示画面検出部によって検出された向きに応じて、前記第１人感センサーと前記第２人感センサーとのうちいずれか一方の検出結果を得て、得られた検出結果に基づいて、前記表示部への画像の表示を制御する制御部と、を有することを特徴とする。【０００８】
また、本発明は、画像を表示する表示部の表示画面が縦向きか横向きかを検出し、前記検出された向きに応じて、前記表示部の長手方向の辺に設けられた第１人感センサーと前記表示部の短手方向の辺に設けられた第２人感センサーとのうちいずれか一方の検出結果を得て、得られた検出結果に基づいて、前記表示部への画像の表示を制御することを特徴とする。
【発明の効果】
【０００９】
この発明によれば、人感センサーを表示装置の長辺側及び短辺側の二箇所に設置し、表示装置の横向き、縦向きの状態に応じて検出するセンサーを切り替える。これにより、横向きの場合でも縦向きの場合でも、人感センサーが使用者の前に設置されることになり、使用者の存在を検出する精度が低下してしまうことを防止することができる。
【図面の簡単な説明】
【００１０】
【図１】本実施形態における表示装置１の構成を表す機能ブロック図である。
【図２】表示装置１の外観を表す図である。
【図３】表示部１０が横向きである場合において第１人感センサー１１と第２人感センサー１２との配置について説明する図である。
【図４】表示部１０が縦向きである場合において第１人感センサー１１と第２人感センサー１２との配置について説明する図である。
【図５】表示装置１の動作を説明するフローチャートである。
【図６】人感センサーの検出範囲とユーザ位置とを説明する図である。
【図７】人感センサーの検出範囲とユーザ位置とを説明する図である。
【発明を実施するための形態】
【００１１】
以下、本実施形態について説明する。
図１は、本実施形態における表示装置１の構成を表す機能ブロック図である。
表示部１０は、画像を表示する。この表示部１０の表示画面は、矩形状である。この表示部１０は、表示装置１に、回転ヒンジ付きスタンドによって取り付けられている。この回転ヒンジ付きスタンドは、表示部１０を表示装置１に連結する機構であり、表示装置１を設置した際、ユーザによって表示部１０を縦向きか横向きかを選択して切り替えることができる機構である。縦向きとは、表示画面の長手方向の辺が垂直方向であり、短手方向の辺が水辺方向である向きである。また、縦向きの状態は、ポートレートともいう。横向きとは、表示画面の長手方向の辺が水平方向であり、短手方向の辺が垂直方向である向きである。また、横向きの状態は、ランドスケープともいう。
【００１２】
第１人感センサー１１は、表示部１０の長手方向の辺に設けられる。
第２人感センサー１２は、表示部１０の短手方向の辺に設けられる。
第１人感センサー１１及び第２人感センサー１２は、自身の検知範囲にユーザが存在するか否かを検出し、ユーザの存在有無を表す検出結果を出力するセンサーである。
【００１３】
表示画面検出部１３は、表示部１０の表示画面が縦向きか横向きかを検出する。
この表示画面検出部１３は、例えば、加速度センサーが用いられる。この加速度センサーは、重力を検出することで、表示部１０の画面が縦向きであるか横向きであるかを検出することができる。
【００１４】
センサー出力切り替えスイッチ１４は、第１人感センサー１１と第２人感センサー１２とに接続される。このセンサー出力切り替えスイッチ１４は、表示画面検出部１３が検出した表示部１０の向きに応じて、第１人感センサー１１と第２人感センサー１２とのうちいずれか一方の検出結果を選択して出力する。具体的に、センサー出力切り替えスイッチ１４は、表示画面検出部１３の検出結果が横向きである場合、第１人感センサー１１の検出結果を出力するように切り替え、表示画面検出部１３の検出結果が縦向きである場合、第２人感センサー１２の検出結果を出力するように切り替える。
【００１５】
制御部１５は、表示画面検出部１３によって検出された向きに応じて、第１人感センサー１１と第２人感センサー１２とのうちいずれか一方の検出結果を得て、得られた検出結果に基づいて、表示部１０への画像の表示を制御する。すなわち、制御部１５は、表示画面検出部１３によって横向きであることが検出されセンサー出力切り替えスイッチ１４によって第１人感センサー１１の検出結果を出力するように切り替えられると、第１人感センサー１１の検出結果に基づいて制御を行う。また、制御部１５は、表示画面検出部１３によって縦向きであることが検出されセンサー出力切り替えスイッチ１４によって第２人感センサー１２の検出結果を出力するように切り替えられると、第２人感センサー１２の検出結果に基づいて制御を行う。
この制御部１５は、第１人感センサー１１または第２人感センサー１２の検出結果において、表示部１０の近傍にユーザがいることを検出した場合に、表示部１０に画像を表示し、表示部１０の近傍にユーザがいないことを検出した場合に、表示部１０に画像を表示しないように制御する。
【００１６】
電源１６は、電力を供給する。
センサー電源切り替えスイッチ１７は、表示画面検出部１３の検出結果に応じて、第１人感センサー１１または第２人感センサー１２のいずれかに電源１６から供給される電力を供給するように切り替える切り替えスイッチを有する。
具体的に、センサー電源切り替えスイッチ１７は、表示画面検出部１３の検出結果が横向きである場合、第１人感センサー１１側にスイッチを切り替えて電源を供給し、表示画面検出部１３の検出結果が縦向きである場合、第２人感センサー１２側にスイッチを切り替えて電源を供給する。
【００１７】
図２は、表示装置１の外観を表す図である。この図においては、表示部１０が横向きである場合が図示されている。
表示部１０は、表示装置１の正面側に設けられ、表示画面検出部１３は、表示装置１の背面側に設けられる。また、第１人感センサー１１は、表示部１０の長辺側の一辺に設けられ、第２人感センサー１２は、表示部１０の短辺側の一辺に設けられる。
【００１８】
図３は、表示部１０が横向きである場合において第１人感センサー１１と第２人感センサー１２との配置について説明する図である。
この図において、表示装置１は、表示部１０の長辺側に第１人感センサー１１、短辺側に第２人感センサー１２が設けられている。この場合、第１人感センサー１１は、第１人感センサー１１の検出可能な範囲である検出範囲２０内に、ユーザ２１が存在するか否かを検出する。
【００１９】
図４は、表示部１０が縦向きである場合において第１人感センサー１１と第２人感センサー１２との配置について説明する図である。
この図において、表示装置１は、表示部１０の長辺側に第１人感センサー１１、短辺側に第２人感センサー１２が設けられている。この場合、第２人感センサー１２が、第２人感センサー１２の検出可能な範囲である検出範囲２２内に、ユーザ２１が存在するか否かを検出する。
【００２０】
次に、上述した表示装置１の動作を説明する。図５は、表示装置１の動作を説明するフローチャートである。
まず、表示装置１の表示画面検出部１３は、表示部１０の向きを検出し（ステップＳ１１）、横向きであるか否かを判定し（ステップＳ１２）、判定結果を含む、向きの検出結果をセンサー出力切り替えスイッチ１４とセンサー電源切り替えスイッチ１７とに出力する。
【００２１】
検出結果が横向きを表す場合、センサー電源切り替えスイッチ１７は、第１人感センサー１１を選択し、第１人感センサー１１へ電力を供給する（ステップＳ１３）。第１人感センサー１１は、検出範囲内にユーザがいるか否かを検出する（ステップＳ１４）。センサー出力切り替えスイッチ１４は、第１人感センサー１１の検出結果を選択して制御部１５へ出力する（ステップＳ１５）。制御部１５は、第１人感センサー１１の検出結果に基づいて、表示部１０へ表示する画像の制御を行う（ステップＳ１６）。制御部１５は、一定時間を経過したか否かを判定し（ステップＳ１７）、一定時間を経過した場合に、表示画面検出部１３に表示部１０の向きを検出するように指示する。これにより、ステップＳ１１に移行する。
【００２２】
一方、ステップＳ１２において、検出結果が横向きを表していない場合、すなわち、縦向きを表している場合、センサー電源切り替えスイッチ１７は、第２人感センサー１２を選択し、第２人感センサー１２へ電力を供給する（ステップＳ１７）。第２人感センサー１２は、検出範囲内にユーザがいるか否かを検出する（ステップＳ１８）。センサー出力切り替えスイッチ１４は、第２人感センサー１２の検出結果を選択して制御部１５へ出力する（ステップＳ１９）。制御部１５は、第２人感センサー１２の検出結果に基づいて、表示部１０へ表示する画像の制御を行う（ステップＳ１６）。制御部１５は、一定時間を経過したか否かを判定し（ステップＳ１７）、一定時間を経過した場合に、表示画面検出部１３に表示部１０の向きを検出するように指示する。これにより、ステップＳ１１に移行する。
【００２３】
以上説明した実施形態によれば、人感センサーを表示装置の２ヶ所に設置し、これら2ヶ所の人感センサーを表示装置内に設置された加速度センサーにより切り替えるようにした。これにより、表示部１０の表示画面の中心を通る垂線上にある人感センサーを用いてユーザの存在の有無を検出することができるため、表示装置の表示画面が横向きの状態であるか縦向きの状態であるかによらず、人感センサーが、ユーザの存在を検出することができ、人感センサーの検出精度を低減することなく、表示装置に必要な制御を実行することができる。
【００２４】
また、これら2ヶ所の人感センサーを表示装置内に設置された加速度センサーにより切り替えるようにした。これにより、ユーザは、表示部１０の向きを変えた際、どの人感センサーを用いるかを自身が選択する必要がない。
【００２５】
また、この実施形態によれば、表示部の向きに応じて、第１人感センサー１１または第２人感センサー１２のいずれかを選択して電源を供給するようにした。これにより、ユーザの検出に用いない方の人感センサーに対する電源供給を停止することができ、当該人感センサーの動作を停止することができる。これにより、使用していない人感センサーにおいて不要な電力が消費されることを防止することができ、常に両方の人感センサーに電源を供給する場合に比べて、消費電力を低減することができる。
【００２６】
なお、上述した実施形態では、表示画面検出部１３として加速度センサーを用いる場合について説明したが、加速度センサーの代わりにピポッドスタンドに、表示部１０が縦向きであるか横向きであるかを検出する機械的な切り替えスイッチを設けることで、表示部１０が縦向きであるか横向きであるかを検出し、センサー出力切り替えスイッチ１４とセンサー電源切り替えスイッチ１７に検出結果を供給するようにしてもよい。
【００２７】
また、上述の実施形態において、人感センサー１１は、横向きにした場合に下方の辺に位置するように設けられているが、横向きにした場合に上方の辺に位置するように設けるようにしてもよい。人感センサー１２は、縦向きにした場合に下方の辺に位置するように設けられているが、縦向きにした場合に上方の辺に位置するように設けるようにしてもよい。
【００２８】
また、人感センサー１１、人感センサー１２は、一辺の中央の位置に設けられているが、辺の何れかの位置であれば、必ずしも中央でなくてもよい。
【００２９】
また、上述の実施形態において、横向きである場合に人感センサー１１を選択し、縦向きである場合に人感センサー１２を選択する場合について説明したが、横向きである場合に検知範値が表示装置１の正面である人感センサーを選択し、縦向きである場合に検知範囲が表示装置１の正面である人感センサーを選択することができれば、人感センサーをいずれの辺に設置してもよい。また、上述の実施形態において、１辺に１つの人感センサーを用いる場合について説明したが、１辺に２つ以上の人感センサーを設け、表示部１０の向きに応じて、表示部１０の水平となっている辺に設けられた人感センサー群を選択するようにしてもよい。
【００３０】
なお、第１人感センサー１１及び第２人感センサー１２を切り替えずに、両方を常に動作せせることでも同様の効果は実現できる。
【００３１】
また、図１における表示装置の機能を実現するためのプログラムをコンピュータ読み取り可能な記録媒体に記録して、この記録媒体に記録されたプログラムをコンピュータシステムに読み込ませ、実行することにより表示制御を行ってもよい。なお、ここでいう「コンピュータシステム」とは、ＯＳや周辺機器等のハードウェアを含むものとする。
【００３２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００３３】
以上、この発明の実施形態について図面を参照して詳述してきたが、具体的な構成はこの実施形態に限られるものではなく、この発明の要旨を逸脱しない範囲の設計等も含まれる。
【符号の説明】
【００３４】
１  表示装置
１０  表示部
１１  第１人感センサー
１２  第２人感センサー
１３  表示画面検出部
１４  センサー出力切り替えスイッチ
１５  制御部
１６  電源
１７  センサー電源切り替えスイッチ
【図１】
2014006757.tif 000003
【図２】
2014006757.tif 000004
【図３】
2014006757.tif 000005
【図４】
2014006757.tif 000006
【図５】
2014006757.tif 000007
【図６】
2014006757.tif 000008
【図７】
2014006757.tif 000009
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
画像を表示する表示部と、
前記表示部の長手方向の辺に設けられた第１人感センサーと、
前記表示部の短手方向の辺に設けられた第２人感センサーと、
前記表示部の表示画面が縦向きか横向きかを検出する表示画面検出部と、
前記表示画面検出部によって検出された向きに応じて、前記第１人感センサーと前記第２人感センサーとのうちいずれか一方の検出結果を得て、得られた検出結果に基づいて、前記表示部への画像の表示を制御する制御部と、
を有することを特徴とする表示装置。
【請求項２】
前記制御部は、
前記表示部の前記表示画面が縦向きであることを前記表示画面検出部が検出した場合に、前記第２人感センサーの検出結果に基づいて、前記表示部への画像の表示を制御し、
前記表示部の前記表示画面が横向きであることを前記表示画面検出部が検出した場合に、前記第１人感センサーの検出結果に基づいて、前記表示部への画像の表示を制御する
ことを特徴とする請求項１記載の表示装置。
【請求項３】
前記表示画面検出部が検出した表示部の向きに応じて、前記第１人感センサーと前記第２人感センサーとのうちいずれか一方の検出結果を選択して出カするセンサー出力切り替えスイッチを有し、
前記制御部は、前記センサー出力切り替えスイッチによって選択され出力される検出結果を得て、得られた検出結果に基づいて、前記表示部への画像の表示を制御する
ことを特徴とする請求項１または請求項２記載の表示装置。
【請求項４】
前記表示画面検出部の検出結果に応じて、前記第１人感センサーまたは前記第２人感センサーのいずれかに電源から供給される電力を供給する電源切り替え部
を有することを特徴とする請求項１ないし請求項３のいずれかに記載の表示装置。
【請求項５】
画像を表示する表示部の表示画面が縦向きか横向きかを検出し、
前記検出された向きに応じて、前記表示部の長手方向の辺に設けられた第１人感センサーと前記表示部の短手方向の辺に設けられた第２人感センサーとのうちいずれか一方の検出結果を得て、得られた検出結果に基づいて、前記表示部への画像の表示を制御する
ことを特徴とする表示装置の制御方法。
【手続補正書】
【提出日】平成27年9月28日(2015.9.28)
【手続補正１】
【補正対象書類名】特許請求の範囲
【補正対象項目名】請求項１
【補正方法】変更
【補正の内容】
【請求項１】
画像を表示する表示部と、
前記表示部の長手方向の辺の中央またはその近傍に設けられた第１人感センサーと、
前記表示部の短手方向の辺の中央またはその近傍に設けられた第２人感センサーと、
前記表示部の表示画面が縦向きか横向きかを検出する表示画面検出部と、
前記表示画面検出部によって検出された向きに応じて、前記第１人感センサーと前記第２人感センサーとのうちいずれか一方の検出結果を得て、得られた検出結果に基づいて、前記表示部への画像の表示を制御する制御部と、
を有することを特徴とする表示装置。
【手続補正２】
【補正対象書類名】特許請求の範囲
【補正対象項目名】請求項５
【補正方法】変更
【補正の内容】
【請求項５】
画像を表示する表示部の表示画面が縦向きか横向きかを検出し、
前記検出された向きに応じて、前記表示部の長手方向の辺の中央またはその近傍に設けられた第１人感センサーと前記表示部の短手方向の辺の中央またはその近傍に設けられた第２人感センサーとのうちいずれか一方の検出結果を得て、得られた検出結果に基づいて、前記表示部への画像の表示を制御する
ことを特徴とする表示装置の制御方法。
【手続補正３】
【補正対象書類名】明細書
【補正対象項目名】０００７
【補正方法】変更
【補正の内容】
【０００７】
上述した問題点を解決するために、本発明は、画像を表示する表示部と、前記表示部の長手方向の辺の中央またはその近傍に設けられた第１人感センサーと、前記表示部の短手方向の辺の中央またはその近傍に設けられた第２人感センサーと、前記表示部の表示画面が縦向きか横向きかを検出する表示画面検出部と、前記表示画面検出部によって検出された向きに応じて、前記第１人感センサーと前記第２人感センサーとのうちいずれか一方の検出結果を得て、得られた検出結果に基づいて、前記表示部への画像の表示を制御する制御部と、を有することを特徴とする。
【手続補正４】
【補正対象書類名】明細書
【補正対象項目名】０００８
【補正方法】変更
【補正の内容】
【０００８】
また、本発明は、画像を表示する表示部の表示画面が縦向きか横向きかを検出し、前記検出された向きに応じて、前記表示部の長手方向の辺の中央またはその近傍に設けられた第１人感センサーと前記表示部の短手方向の辺の中央またはその近傍に設けられた第２人感センサーとのうちいずれか一方の検出結果を得て、得られた検出結果に基づいて、前記表示部への画像の表示を制御することを特徴とする。
【国際調査報告】
2014006757.tif 000010
2014006757.tif 000011
2014006757.tif 000012